(57)【要約】【課題】既存の蛍光管用照明器具に装着して使用可能で、回路数の増大を抑制可能な発光ダイオード照明装置を提供する。【解決手段】発光ダイオード１１〜１ｎを含む発光回路１０と、発光回路１０が内側に配置され、発光ダイオード１１〜１ｎの出射光が透過する照明カバー２００と、照明カバー２００の長手方向の一方の端部に配置されて互いに短絡された第１電極ピン４１及び第２電極ピン４２、及び照明カバー２００の長手方向の他方の端部に配置されて互いに短絡された第３電極ピン４３及び第４電極ピン４４と、第１電極ピン４１と第３電極ピン４３間に印加された交流電力及び第２電極ピン４２と第４電極ピン４４間に印加された交流電力を直流電力に整流し、その直流電力を発光ダイオード１１〜１ｎに供給する整流回路２０とを備える。【選択図】図１
2009266696.tif 000002
【特許請求の範囲】
【請求項１】
発光ダイオードを含む発光回路と、
前記発光回路が内側に配置され、前記発光ダイオードの出射光が透過する照明カバーと、
前記照明カバーの長手方向の一方の端部に配置されて互いに短絡された第１電極ピン及び第２電極ピン、及び前記照明カバーの長手方向の他方の端部に配置されて互いに短絡された第３電極ピン及び第４電極ピンと、
前記第１電極ピンと前記第３電極ピン間に印加された交流電力及び前記第２電極ピンと前記第４電極ピン間に印加された交流電力を直流電力に整流し、該直流電力を前記発光ダイオードに供給する整流回路と
を備えることを特徴とする発光ダイオード照明装置。
【請求項２】
前記整流回路が、
前記第１電極ピン及び前記第２電極ピンに接続する第１の交流端子と、
前記第３電極ピン及び前記第４電極ピンに接続する第２の交流端子と、
前記発光ダイオードのアノードに接続する第１の直流端子と、
前記発光ダイオードのカソードに接続する第２の直流端子と
を備える整流ブリッジダイオードであることを特徴とする請求項１に記載の発光ダイオード照明装置。
【請求項３】
前記整流回路が、
アノードが前記第１の交流端子に接続し、カソードが前記第１の直流端子に接続する第１のダイオードと、
アノードが前記第２の交流端子に接続し、カソードが前記第１の直流端子に接続する第２のダイオードと、
アノードが前記第２の直流端子に接続し、カソードが前記第１の交流端子に接続する第３のダイオードと、
アノードが前記第２の直流端子に接続し、カソードが前記第２の交流端子に接続する第４のダイオードと
を備えることを特徴とする請求項２に記載の発光ダイオード照明装置。
【請求項４】
前記発光回路が、直列接続された複数の発光ダイオードを有することを特徴とする請求項１乃至３のいずれか１項に記載の発光ダイオード照明装置。
【請求項５】
前記発光ダイオードのアノードとカソード間に配置された平滑コンデンサを更に備えることを特徴とする請求項１乃至４のいずれか１項に記載の発光ダイオード照明装置。
【発明の詳細な説明】
【技術分野】
【０００１】
本発明は、発光ダイオードを光源とする発光ダイオード照明装置に関する。
【背景技術】
【０００２】
近年、蛍光灯等に代えて発光ダイオード（ＬＥＤ）を光源とする照明装置の実用化が進められている。発光ダイオードを光源とすることにより、蛍光灯を使用する場合に比べて長寿命、省エネルギー等の効果が得られる。
【０００３】
特に、発光ダイオードを用いた発光ダイオード照明装置を蛍光管の代わりに既存の蛍光管用照明器具に取り付けることができれば、蛍光管用照明器具の改造等が不要になり、既存の設備をそのまま使用することができる（例えば、特許文献１参照。）。ここで、蛍光管用照明器具とは、蛍光管を支持し、かつ蛍光管に電力を供給する電源として機能する器具である。
【特許文献１】特開２００４−１９２８３３号公報
【発明の開示】
【発明が解決しようとする課題】
【０００４】
しかしながら、特許文献１に記載された構成の発光ダイオード照明装置は、複数の整流ブリッジダイオードを必要とする等、使用する回路数が多い。このため、発光領域以外の回路配置領域が増大し、また、製造コストが上昇するという問題があった。
【０００５】
上記問題点を鑑み、本発明は、既存の蛍光管用照明器具に装着して使用可能で、回路数の増大を抑制可能な発光ダイオード照明装置を提供することを目的とする。
【課題を解決するための手段】
【０００６】
本発明の一態様によれば、（イ）発光ダイオードを含む発光回路と、（ロ）発光回路が内側に配置され、発光ダイオードの出射光が透過する照明カバーと、（ハ）照明カバーの長手方向の一方の端部に配置されて互いに短絡された第１電極ピン及び第２電極ピン、及び照明カバーの長手方向の他方の端部に配置されて互いに短絡された第３電極ピン及び第４電極ピンと、（ニ）第１電極ピンと第３電極ピン間に印加された交流電力及び第２電極ピンと第４電極ピン間に印加された交流電力を直流電力に整流し、その直流電力を発光ダイオードに供給する整流回路とを備える発光ダイオード照明装置が提供される。
【発明の効果】
【０００７】
本発明によれば、既存の蛍光管用照明器具に装着して使用可能で、回路数の増大を抑制可能な発光ダイオード照明装置を提供できる。
【発明を実施するための最良の形態】
【０００８】
次に、図面を参照して、本発明の第１及び第２の実施形態を説明する。以下の図面の記載において、同一又は類似の部分には同一又は類似の符号を付している。ただし、図面は模式的なものであり、厚みと平面寸法との関係、各部の長さの比率等は現実のものとは異なることに留意すべきである。したがって、具体的な寸法は以下の説明を参酌して判断すべきものである。又、図面相互間においても互いの寸法の関係や比率が異なる部分が含まれていることはもちろんである。
【０００９】
又、以下に示す第１及び第２の実施形態は、この発明の技術的思想を具体化するための装置や方法を例示するものであって、この発明の技術的思想は、構成部品の形状、構造、配置等を下記のものに特定するものでない。この発明の技術的思想は、特許請求の範囲において、種々の変更を加えることができる。
【００１０】
（第１の実施形態）
本発明の第１の実施形態に係る発光ダイオード照明装置１は、発光ダイオード１１〜１ｎを含む発光回路１０と、発光回路１０が内側に配置され、発光ダイオード１１〜１ｎの出射光が透過する照明カバー２００と、照明カバー２００の長手方向の一方の端部に配置されて互いに短絡された第１電極ピン４１及び第２電極ピン４２、及び照明カバー２００の長手方向の他方の端部に配置されて互いに短絡された第３電極ピン４３及び第４電極ピン４４と、第１電極ピン４１と第３電極ピン４３間に印加された交流電力及び第２電極ピン４２と第４電極ピン４４間に印加された交流電力を直流電力に整流し、その直流電力を発光ダイオード１１〜１ｎに供給する整流回路２０とを備える（ｎ：２以上の整数）。発光回路１０は発光ダイオード１１〜１ｎを直列接続した構造を有し、発光ダイオード１１のアノードは発光回路１０の入力端子Ｐ１０１に接続し、発光ダイオード１ｎのカソードは発光回路１０の出力端子Ｐ１０２に接続する。
【００１１】
図１に示した例では、基板１００上に発光回路１０、及び整流回路２０が配置され、この基板１００は内側が空洞の筐体である照明カバー２００内に収納される。照明カバー２００の長手方向の一方の端部を構成する第１の端子部２１０に第１電極ピン４１及び第２電極ピン４２は配置される。また、照明カバー２００の長手方向の他方の端部を構成する第２の端子部２２０に第３電極ピン４３及び第４電極ピン４４は配置される。
【００１２】
図１に示すように、第１電極ピン４１〜第４電極ピン４４は、第１の端子部２１０及び第２の端子部２２０の端面を照明カバー２００の長手方向に貫通して配置される。つまり、第１電極ピン４１〜第４電極ピン４４の一端は、照明カバー２００の外側に露出して配置される。一方、第１電極ピン４１〜第４電極ピン４４の他端は照明カバー２００の内側に露出し、基板１００上に配置された発光回路１０及び整流回路２０と電気的に接続される。なお、図１では第１の端子部２１０及び第２の端子部２２０が照明カバー２００の中央部分より長手方向に垂直な方向に幅が広い例を示したが、照明カバー２００の中央部分の方が端部より広くてもよいし、照明カバー２００全体で同一の幅でもよい。
【００１３】
また、照明カバー２００の内側に露出した第１電極ピン４１又は第２電極ピン４２の端部の少なくともいずれか、及び第３電極ピン４３又は第４電極ピン４４の端部の少なくともいずれかを、それぞれ基板１００に固定し、これにより基板１００を照明カバー２００内に支持してもよい。或いは、他の方法により、例えば基板１００の周辺部を照明カバー２００の内側に接合する等の方法によって、基板１００を照明カバー２００内に支持するようにしてもよい。
【００１４】
図２に示すように、発光ダイオード照明装置１を第１電極ピン４１〜第４電極ピン４４によって既存の蛍光管用照明器具３００に装着可能なように、発光ダイオード照明装置１の外形寸法、即ち、長手方向の長さＷや幅Ｄ、及び第１電極ピン４１〜第４電極ピン４４の配置等は、従来の蛍光管と同じとする。例えば、発光ダイオード照明装置１の外形寸法を日本工業規格（ＪＩＳ）により規定された蛍光管の外形寸法に合わせて設定する。特に、蛍光管用照明器具３００への取り付け部分である口金具に相当する第１の端子部２１０及び第２の端子部２２０の形状、構造は、従来の蛍光管の口金具と互換性を持たせる。蛍光管用照明器具３００の詳細については後述する。
【００１５】
図３に、第１の端子部２１０を透過して長手方向と垂直な面からみた発光ダイオード照明装置１の構造例を示す。ここで、発光ダイオード照明装置１は、例えば、口金具に相当する第１の端子部２１０及び第２の端子部２２０がＧ１３タイプであり照明カバー２００が直径φ２６の管形状である。なお、基板１００の表面に配置された発光ダイオード１１〜１ｎ等から発生する熱を放出するために、図３に示すように、表面に対向する基板１００の裏面にアルミニウム（Ａｌ）等からなる放熱板１１０を配置してもよい。
【００１６】
発光ダイオード照明装置１の照明カバー２００には、発光ダイオード１１〜１ｎの出射光が透過する材料を採用可能である。例えば、シリコン樹脂、アクリル樹脂、ポリカーボネート樹脂等により照明カバー２００は形成される。照明カバー２００は、基板１００上に配置された発光ダイオード１１〜１ｎ等を保護すると共に、発光ダイオード１１〜１ｎの出射光を拡散して発光ダイオード照明装置１の外部に出力する。このため、発光ダイオード１１〜１ｎからそれぞれ出射される指向性の高い光を、発光ダイオード照明装置１から広い面積に均一に照射できる。また、照明カバー２００に蛍光体を塗布することにより、発光ダイオード照明装置１からの出射光を所望の色彩に調整できる。照明カバー２００の外形は種々の形状が採用可能であり、例えば角柱形状であっても円筒形状であってもよい。
【００１７】
基板１００には、例えばアルミニウム板等のプリント基板が採用可能である。基板１００に形成された配線パターンやワイヤー配線等により、第１電極ピン４１〜第４電極ピン４４、発光回路１０、整流回路２０が互いに電気的に接続される。
【００１８】
図１に示すように、整流回路２０は、ダイオードＤ２１〜Ｄ２４を有する整流ブリッジダイオードである。整流回路２０は、ダイオードＤ２１のカソードとダイオードＤ２３のアノードとの接続点である交流端子ａｃ１、及びダイオードＤ２２のアノードとダイオードＤ２４のカソーとドの接続点である交流端子ａｃ２に入出力される交流を、全波整流して出力する。整流された出力は、ダイオードＤ２１のカソードとダイオードＤ２２のカソードとの接続点である直流端子ｄｃ１、及びダイオードＤ２３のアノードとダイオードＤ２４のアノードとの接続点である直流端子ｄｃ２から供給される。なお、直流端子ｄｃ１がプラス電位、直流端子ｄｃ２がマイナス電位になる。
【００１９】
図１に示すように、整流回路２０の交流端子ａｃ１は第１電極ピン４１及び第２電極ピン４２に接続し、交流端子ａｃ２は第３電極ピン４３及び第４電極ピン４４に接続する。そして、直流端子ｄｃ１は発光回路１０の入力端子Ｐ１０１に接続し、直流端子ｄｃ２は発光回路１０の出力端子Ｐ１０２に接続する。
【００２０】
ここで、蛍光管用照明器具３００について説明する。蛍光管用照明器具３００は、例えば図２に示すようなインバータ方式の蛍光管用照明器具である。図２に示す蛍光管用照明器具３００は、電源３１０、電子回路３２０、共振コンデンサ３３０を有する。電子回路３２０は、電源３１０から供給される例えば５０Ｈｚ若しくは６０Ｈｚの交流電力を整流平滑化した後、例えば２００００〜５００００Ｈｚ程度の高周波交流電力に変換して、この高周波交流電力を発光ダイオード照明装置１に供給する。共振コンデンサ３３０は、共振回路を構成してインバータ動作を実現するための共振コンデンサであり、更に、共振コンデンサ３３０を配置することによりノイズ除去の効果も奏する。共振コンデンサ３３０の値により高周波交流電力の周波数が決まる。
【００２１】
図１に示した発光ダイオード照明装置１を、図２に示すように蛍光管用照明器具３００に装着すると、例えば、第１電極ピン４１及び第３電極ピン４３が電子回路３２０と接続する。同時に、第２電極ピン４２が共振コンデンサ３３０の一方の電極に接続し、第４電極ピン４４が共振コンデンサ３３０の他方の電極に接続する。なお、第１電極ピン４１及び第３電極ピン４３が共振コンデンサ３３０に接続し、第２電極ピン４２及び第４電極ピン４４が電子回路３２０に接続してもよい。ただし、発光ダイオード１１〜１ｎの出射光が発光ダイオード照明装置１から所望の方向に出射されるように、発光ダイオード照明装置１を蛍光管用照明器具３００に装着する。
【００２２】
蛍光管用照明器具３００に装着された発光ダイオード照明装置１の動作例を以下に説明する。
【００２３】
第１電極ピン４１又は第２電極ピン４２から電流が流入する場合には、電流はダイオードＤ２１を介して直流端子ｄｃ１及び入力端子Ｐ１０１を経由して発光回路１０に流れる。そして、発光回路１０から流れ出た電流は、出力端子Ｐ１０２及び直流端子ｄｃ２を経由した後、ダイオードＤ２４を介して第３電極ピン４３及び第４電極ピン４４に流れる。
【００２４】
一方、第３電極ピン４３又は第４電極ピン４４から電流が流入する場合には、電流はダイオードＤ２２を介して直流端子ｄｃ１及び入力端子Ｐ１０１を経由して発光回路１０に流れる。そして、発光回路１０から流れ出た電流は、出力端子Ｐ１０２及び直流端子ｄｃ２を経由した後、ダイオードＤ２３を介して第１電極ピン４１及び第２電極ピン４２に流れる。
【００２５】
上記のように、第１電極ピン４１と第３電極ピン４３間に交流電力が印加された場合であっても、第２電極ピン４２と第４電極ピン４４間に交流電力が印加された場合であっても、整流回路２０によって蛍光管用照明器具３００が出力する交流電力が全波整流されて、発光回路１０に直流電流が供給される。このため、発光ダイオード１１〜１ｎを発光させることができる。つまり、蛍光管用照明器具３００に装着された発光ダイオード照明装置１は、蛍光管用照明器具３００によって支持され、蛍光管用照明器具３００から供給される電力により発光する。
【００２６】
なお、発光回路１０に含まれる発光ダイオード１１〜１ｎの直列接続される発光ダイオードの個数は、蛍光管用照明器具３００が供給する交流電圧Ｖｆに応じて設定されることが好ましい。例えば、交流電圧Ｖｆが第１電極ピン４１と第３電極ピン４３間に印加された場合に入力端子Ｐ１０１と出力端子Ｐ１０２間に生じる電圧を発光ダイオード１１〜１ｎの所望の各アノード−カソード間電圧で割った値とほぼ等しくなるように、発光回路１０に含まれる発光ダイオード１１〜１ｎの直列接続される個数を設定する。設定された個数が直列接続された複数の発光ダイオード列を、入力端子Ｐ１０１と出力端子Ｐ１０２間に互いに並列に接続してもよいことはもちろんである。
【００２７】
上記では、蛍光管用照明器具３００がインバータ方式である場合を例示的に説明した。しかし、蛍光管用照明器具３００がインバータ方式以外の方式で、第１電極ピン４１と第３電極ピン４３間、及び第２電極ピン４２と第４電極ピン４４間等に交流電力を供給する場合であっても、発光ダイオード照明装置１は蛍光管用照明器具３００に装着して使用可能である。例えば、蛍光管用照明器具３００がグローランプ点灯方式やラピッドスタート方式の場合にも、蛍光管用照明器具３００に装着された発光ダイオード照明装置１は発光可能である。
【００２８】
以上に説明したように、本発明の第１の実施形態に係る発光ダイオード照明装置１によれば、発光ダイオード照明装置１を従来の蛍光管の代わりに既存の蛍光管用照明器具３００に装着し、発光ダイオード１１〜１ｎを発光させることができる。つまり、蛍光管用照明器具３００の改造等を行わずに既存の蛍光管用照明器具３００に装着して使用可能で、且つ、回路数の増大が抑制された発光ダイオード照明装置１が提供される。
【００２９】
（第２の実施形態）
本発明の第２の実施形態に係る発光ダイオード照明装置１は、図４に示すように、発光回路１０の入力端子Ｐ１０１と出力端子Ｐ１０２間に接続された平滑コンデンサ５０を更に備えることが、図１に示した発光ダイオード照明装置１と異なる点である。平滑コンデンサ５０の一方の電極は発光ダイオード１１のアノードに接続され、他方の電極は発光ダイオード１ｎのカソードに接続される。つまり、発光ダイオード１１〜１ｎと平滑コンデンサ５０とは並列接続される。その他の構成については、図１に示す第１の実施形態と同様である。
【００３０】
通常、発光ダイオードを流れる電流ＩＦと発光ダイオードの射出光の輝度Ｉｖとは比例する。しかし、一般的に、発光ダイオードの発熱の影響等により電流ＩＦが大きいほど電流ＩＦに対する輝度Ｉｖの比率（以下において、「発光効率」という。）は低下する。
【００３１】
図５に、発光ダイオードの理論的なＩＦ−Ｉｖ特性（以下において、「理論特性」という。）Ｇ１と実測されるＩＦ−Ｉｖ特性（以下において、「実測特性」という。）Ｇ２との比較例を示す。図５に示すように、電流ＩＦが大きいほど、実測特性Ｇ２の電流ＩＦの増加率に対する輝度Ｉｖの増加率は低下し、理論特性Ｇ１と実測特性Ｇ２との差が大きくなる。したがって、所望の輝度Ｉｖを得るための実際の電流ＩＦが理論値より大きくなり、消費電力の無駄が生じることになる。
【００３２】
しかし、理論特性Ｇ１と実測特性Ｇ２とが一致する電流ＩＦ１により発光ダイオードを発光させることによって、発光効率を向上できる。このとき、電流ＩＦ１での輝度Ｉｖ１は、電流ＩＦ２での輝度Ｉｖ２より低い。しかし、電流ＩＦ１を流す発光ダイオードの数を増やすことにより、発光ダイオード照明装置全体での輝度を所望の輝度にできる。
【００３３】
つまり、電流値を大きくして発光回路１０に含まれる発光ダイオード１１〜１ｎの個数を少なくする場合より、発光効率の高い電流値を採用して発光回路１０に含まれる発光ダイオード１１〜１ｎの個数を多くした場合の方が、同じ輝度を実現するための発光ダイオード照明装置１の消費電力を小さくできる。
【００３４】
ただし、整流回路２０により整流された電流波形は、通常、図６に示す三角波形である。このため、発光効率の高い電流を常に発光ダイオード１１〜１ｎに流すために、三角波形を例えば図６に示すような矩形波形等に変換する必要がある。このとき、波形変換の前後で平均電流値を同じにするためには、例えばコンデンサ等により電流ＩＦを積分すればよい。
【００３５】
図４に示した発光ダイオード照明装置１は、入力端子Ｐ１０１と出力端子Ｐ１０２間に接続された平滑コンデンサ５０を備えるため、整流回路２０から出力された三角波形の電流が平滑化されて、発光ダイオード１１〜１ｎに流れる。このため、発光効率の高い最適な電流を常に発光ダイオード１１〜１ｎに流すことができる。発光ダイオード１１〜１ｎに流す電流値は、理論特性Ｇ１と実測特性Ｇ２とが一致する範囲で最も大きな電流値にすることが好ましい。なお、平滑コンデンサ５０の容量値は、発光ダイオード１１〜１ｎに流す所望の電流値や蛍光管用照明器具３００から供給される交流電圧等に応じて設定される。例えば、蛍光管用照明器具３００が１００Ｖの交流電圧を供給する場合、整流された直流電圧は２５０Ｖ程度になる。このとき、例えば０．４７μＦ程度のフィルムコンデンサ等が平滑コンデンサ５０に採用可能である。
【００３６】
図７に、平滑コンデンサ５０を使用しない発光ダイオード照明装置１での、発光ダイオード１１〜１ｎに流れる電流波形を実測した例を示す。ここで、発光回路１０が、発光ダイオード１１〜１ｎを直列接続した発光ダイオード列を並列に６列接続した構造であるとする。このとき、発光回路１０全体の電流値はピーク時で１．０６Ａで、照度は３５０ルクスであった。つまり、発光ダイオード１１〜１ｎの各ピーク電流は１．０６Ａの１／６の１７７ｍＡ程度であり、平均電流は３３ｍＡ程度である。また、消費電力は７４Ｗである。発光ダイオード列を構成する発光ダイオードの個数は、１つの発光ダイオード列で４４〜８８個程度、発光回路１０全体で１５０〜４５０個程度である。
【００３７】
図８に、図７に示す三角波形の電流ＩＦが測定された発光ダイオード照明装置１に、０．２２μＦの平滑コンデンサ５０を接続した場合の、発光ダイオード１１〜１ｎに流れる電流波形を実測した例を示す。図８に示すように、発光ダイオード１１〜１ｎに流れる電流波形は平滑化されている。このとき、発光回路１０全体の電流値はピーク時で０．２８Ａで、照度は３９０ルクスであった。発光ダイオード１１〜１ｎの各ピーク電流は４７ｍＡ程度であり、平均電流は２８ｍＡ程度である。また、消費電力は５８Ｗである。
【００３８】
上記の図７及び図８に示すように、平滑コンデンサ５０を発光回路１０の入力端子Ｐ１０１と出力端子Ｐ１０２間に接続することにより、発光ダイオード照明装置１の照度の減少を抑制しつつ、消費電力が７４Ｗから５８Ｗに減少したことが確認された。
【００３９】
以上に説明したように、本発明の第２の実施形態に係る発光ダイオード照明装置１では、平滑コンデンサ５０により発光ダイオード１１〜１ｎに流れる電流波形が平滑化される。平滑化された電流値を発光ダイオード１１〜１ｎの発光効率の高い電流値になるように平滑コンデンサ５０の容量値を設定することにより、発光ダイオード照明装置１の照度の減少を抑制しつつ、消費電力を減少することができる。他は、第１の実施形態と実質的に同様であり、重複した記載を省略する。
【００４０】
（その他の実施形態）
上記のように、本発明は第１及び第２の実施形態によって記載したが、この開示の一部をなす論述及び図面はこの発明を限定するものであると理解すべきではない。この開示から当業者には様々な代替実施形態、実施例及び運用技術が明らかとなろう。
【００４１】
既に述べた第１及び第２の実施形態の説明においては、発光ダイオード照明装置１の外形形状が直管蛍光管と同様である場合を示したが、発光ダイオード照明装置１の外形形状が平面らせん形状や電球形状であってもよい。
【００４２】
このように、本発明はここでは記載していない様々な実施形態等を含むことは勿論である。したがって、本発明の技術的範囲は上記の説明から妥当な特許請求の範囲に係る発明特定事項によってのみ定められるものである。
【図面の簡単な説明】
【００４３】
【図１】本発明の第１の実施形態に係る発光ダイオード照明装置の構成を示す模式図である。
【図２】本発明の第１の実施形態に係る発光ダイオード照明装置をインバータ方式の蛍光管用照明器具に装着した例を示す模式図である。
【図３】本発明の第１の実施形態に係る発光ダイオード照明装置の端面からみた構造を示す模式図である。
【図４】本発明の第２の実施形態に係る発光ダイオード照明装置の構成を示す模式図である。
【図５】本発明の第２の実施形態に係る発光ダイオード照明装置の発光ダイオードの電流と輝度との関係を示すグラフである。
【図６】発光ダイオードに流れる電流の整流前後の波形例を示すグラフである。
【図７】発光ダイオードに流れる電流の整流前の波形の測定例を示すグラフである。
【図８】本発明の第２の実施形態に係る発光ダイオード照明装置の発光ダイオードに流れる電流の波形の測定例を示すグラフである。
【符号の説明】
【００４４】
１…発光ダイオード照明装置
１０…発光回路
１１〜１ｎ…発光ダイオード
２０…整流回路
４１…第１電極ピン
４２…第２電極ピン
４３…第３電極ピン
４４…第４電極ピン
５０…平滑コンデンサ
１００…基板
１１０…放熱板
２００…照明カバー
２１０…第１の端子部
２２０…第２の端子部
３００…蛍光管用照明器具
３１０…電源
３２０…電子回路
３３０…共振コンデンサ
Ｄ２１〜Ｄ２４…ダイオード
【図１】
2009266696.tif 000003
【図２】
2009266696.tif 000004
【図３】
2009266696.tif 000005
【図４】
2009266696.tif 000006
【図５】
2009266696.tif 000007
【図６】
2009266696.tif 000008
【図７】
2009266696.tif 000009
【図８】
2009266696.tif 000010